(57)【特許請求の範囲】
【請求項１】
箱体に各種機器を載置して成る分電盤における、前記箱体に取り付けられた取り付け台にブレーカを取り付けるための機器取り付けバネであって、
板状のバネに前記取り付け台に組み付ける取り付け部と、
前記ブレーカに係合する係合部とを形成すると共に、
前記係合部には、前記ブレーカに嵌合する嵌合部と、
前記ブレーカに設けられた取り付け溝の下面を押さえる固定部と、
前記取り付け溝の上面に当接する当接角とを折曲形成し、
前記嵌合部と前記当接角とからなる誘い部の長さを前記固定部よりも長く設け、
前記固定部の角度を鋭角に形成したことを特徴とする機器取り付けバネ。
【発明の詳細な説明】
【０００１】
【発明の属する技術分野】
箱体に各種機器を載置して成る分電盤における、箱体に取り付けられた取り付け台にブレーカを取り付けるための機器取り付けバネの構造に関する。
【０００２】
【従来の技術】
従来技術における機器取り付けバネ２１は、図４〜図６に示すように、板状のバネに取り付け台２２に組み付けられる取り付け部２３と、ブレーカ２４を固定するための係合部２５とを形成していた。係合部２５は、断面略く字状に折曲形成され、折曲部２６より先端にかけては誘い部２７を形成していた。ブレーカ２４の取り付け方法は、上からブレーカ２４を押し下げて、機器取り付けバネ２１の誘い部２７上をブレーカ２４を移動させ、折曲部２６をブレーカ２４に設けられた取り付け溝２８に係合させて固定していた。
【０００３】
【発明が解決しようとする課題】
しかしながら、上記従来の機器取り付けバネ２１にブレーカ２４を取り付けるには、折曲部２６をブレーカ２４に設けられた取り付け溝２８に係合させるが、取り付け溝２８の寸法ａによって規制されるため、誘い部２７は緩やかな勾配でしか形成することができなかった。緩やかな勾配の誘い部２７では、ブレーカ２４を取り付けるのに、大きな力を加えなくてはならないため、ブレーカ２４の上面をたたき入れる場合があった。そうすると、ブレーカが破損してしまう虞があるが、破損を避けるためには、取り付けにかなりの時間を要し、組み立て時間を増大させてしまうという欠点があった。
【０００４】
【課題を解決するための手段】
そこで本発明は、取り付けが確実であると共に容易にできる機器取り付けバネを提供することを目的とし、その構造は、板状のバネに取り付け台に組み付ける取り付け部と、ブレーカに係合する係合部とを形成すると共に、係合部には、前記ブレーカに嵌合する嵌合部と、ブレーカに設けられた取り付け溝の下面を押さえる固定部と、
取り付け溝の上面に当接する当接角とを折曲形成し、
嵌合部と当接角とからなる誘い部の長さを固定部よりも長く設け、
固定部の角度を鋭角に形成したことを特徴とする。
【０００５】
【発明の実施の形態】
本発明に係る機器取り付けバネは、取り付け部と係合部とを形成し、取り付け部を箱体に設けられた取り付け台に嵌め込み固定させる。ブレーカを取り付け位置近傍に置き、上からブレーカを押し下げることにより、取り付けバネの誘い部をブレーカが移動する。ブレーカに設けられた取り付け溝を機器取り付けバネの嵌合部に嵌合させ、固定部を取り付け溝の下面に対向させて、ブレーカを取り付け台に固定する。
【０００６】
【実施例】
本発明に係る機器取り付けバネの実施例を図１〜図３の添付図面に基づいて説明する。
【０００７】
分岐ブレーカ１には取り付け溝２と引っ掛け部３が形成される。分電盤の箱体には取り付け台４を設け、取り付け台４には係止片５を形成すると共に、機器取り付けバネ６を取り付ける。
【０００８】
機器取り付けバネ６は、取り付け部７と係合部８とを有している。取り付け部７の先端は係止部９を折曲形成し、取り付け台４に機器取り付けバネ６を嵌め込んで係止部９を係止させ、機器取り付けバネ６を取り付け台４に固定させる。一方、係合部８には、取り付け溝２に嵌合する嵌合部１０と、取り付け溝２の下面を押さえる固定部１１と、取り付け溝２の上面端部に当接する当接角１２とを折曲形成する。係合部８は当接角１２までの距離をある長さ以上に設けると、取り付け溝２の上端部に当たるため、取り付け溝２に入り込む嵌合部１０が形成される。従来緩やかなテーパー状であった誘い部を、分岐ブレーカ１の取り付け溝２の大きさは変えず、
誘い部１３の長さを固定部１１よりも長く設け、固定部１１の角度を鋭角に形成することで嵌合部１０が急勾配に形成される。また、
【０００９】
分岐ブレーカ１の取り付け方法は、引っ掛け部３を取り付け台４に設けられた係止片５に引っ掛け、当接角１２のところで押し下げる。機器取り付けバネ６はたわみ、分岐ブレーカ１の下端部が機器取り付けバネ６の嵌合部１０上を移動し、取り付け溝２の下面を係合部８の固定部１１で押さえ込み分岐ブレーカ１を固定する。嵌合部１０は、従来のものに比べ急勾配に形成されているので、分岐ブレーカを押し下げる力は、少なくて済み、特に多くの分岐ブレーカを組み付けたいときには、組み立て時間が大幅に削減できる。
【００１０】
また、機器取り付けバネ６に形成される固定部１１の折曲する角度を鋭角に形成する。分岐ブレーカ１を一旦機器取り付けバネ１３に嵌め込んでしまえば、容易には外れないようになる。
【００１１】
【発明の効果】
以上述べたように、本発明に係る機器取り付けバネは、板状のバネに取り付け台に組み付ける取り付け部と、ブレーカに係合する係合部とを形成すると共に、係合部には、前記ブレーカに嵌合する嵌合部と、ブレーカに設けられた取り付け溝の下面を押さえる固定部と、取り付け溝の上面に当接する当接角とを折曲形成し、
嵌合部と当接角とからなる誘い部の長さを固定部よりも長く設け、
固定部の角度を鋭角に形成したため、ブレーカを取り付ける際に、ブレーカを押す力が少しで良くなるので、容易に取り付けができ、特に多くのブレーカを取り付ける場合には、大幅な組み立て時間の短縮が図れると共に、ブレーカをたたき入れるというようなことをする必要がなくなるので、破損することもなく、安定した品質の製品を提供することができる。また、固定部の角度を鋭角に形成したため、ブレーカを一旦取り付けた後は、しっかり機器取り付けバネに固定されるため、輸送時の振動や衝撃などによるブレーカの脱落がなくなり、品質の向上になる。
【図面の簡単な説明】
【図１】本発明に係る機器取り付けバネを示す側面図である。
【図２】本発明に係る機器取り付けバネを示す側面図である。
【図３】本発明に係る機器取り付けバネを示す側面図である。
【図４】従来技術における機器取り付けバネを示す側面図である。
【図５】従来技術における機器取り付けバネを示す側面図である。
【図６】従来技術における機器取り付けバネを示す側面図である。
【符号の説明】
１      分岐ブレーカ
２      取り付け溝
３      引っ掛け部
４      取り付け台
５      係止片
６      機器取り付けバネ
７      取り付け部
８      係合部
９      係止部
１０    嵌合部
１１    固定部
１２    当接角
１３    誘い部
【図１】
0004666326.tif 000002
【図２】
0004666326.tif 000003
【図３】
0004666326.tif 000004
【図４】
0004666326.tif 000005
【図５】
0004666326.tif 000006
【図６】
0004666326.tif 000007